(57)【要約】【課題】  電源部の故障時におけるログデータのサービスセンターへの送信。【解決手段】  医用診断装置１００のログデータ生成部５が生成した装置の各ユニットに対するログデータを着脱可能なデータ記憶部８のログデータ記憶部８１に順次保存する。そして、医用診断装置１００の電源部１２が故障した場合、医用診断装置１００から取り外したデータ記憶部８を、通信ネットワーク１３０を介してサービスセンターの故障解析装置１２０と別途接続されたログデータ送信装置１１０に装着する。このとき、ログデータ送信装置１１０のコンピュータ１１３は、ログデータ記憶部８１に保存されている故障直前あるいは故障時のログデータをデータ記憶部８の通信ソフトウエア記憶部８２に予め保管されている通信用ソフトウエアを用いて所定フォーマットに変換し、通信ネットワーク１３０を介して故障解析装置１２０へ供給する。【選択図】  図１
2008000173.tif 000002
【特許請求の範囲】
【請求項１】
被検体に対する医療データを収集する各ユニットにおける故障情報を、通信ネットワークを介してサービスセンターへ送信する医用診断装置において、
前記各ユニットの故障情報に対応したログデータを生成するログデータ生成手段と、
前記ログデータを保存する着脱自在なデータ記憶手段と、
前記ログデータ生成手段及び前記データ記憶手段と前記各ユニットに対し所定の電圧／電流を供給する第１の電源供給手段とを
備えたことを特徴とする医用診断装置。
【請求項２】
前記通信ネットワークに接続され、前記第１の電源供給手段に対して独立な第２の電源供給手段によって動作可能なログデータ送信手段を備え、
前記ログデータ送信手段は、前記第１の電源供給手段から切り離され前記第２の電源供給手段に新たに接続された前記データ記憶手段に保存されている前記ログデータを読み出し、前記通信ネットワークを介して前記サービスセンターへ送信することを特徴とする請求項１記載の医用診断装置。
【請求項３】
前記第１の電源供給手段が故障した場合、前記データ記憶手段は、前記第２の電源供給手段を有する前記ログデータ送信手段に接続されることを特徴とする請求項１記載の医用診断装置。
【請求項４】
被検体に対する医療データを収集する各ユニットにおける故障情報を、通信ネットワークを介してサービスセンターへ送信する医用診断装置において、
前記各ユニットの故障情報に対応したログデータを生成するログデータ生成手段と、
前記ログデータを保存するデータ記憶手段と、
前記ログデータ生成手段及び前記データ記憶手段と前記各ユニットに対し所定の電圧／電流を供給する第１の電源供給手段と、
前記第１の電源供給手段に対して独立な第２の電源供給手段から供給される電圧／電流と前記第１の電源供給手段から供給される電圧／電流の切り替え制御を行なう電源ライン制御手段を備え、
前記第１の電源供給手段が故障した場合、前記電源ライン制御手段は、前記第２の電源供給手段による電圧／電流を前記データ記憶手段へ供給することを特徴とする医用診断装置。
【請求項５】
前記通信ネットワークに接続され、前記第２の電源供給手段によって動作可能なログデータ送信手段を備え、
前記ログデータ送信手段は、前記電源ライン制御手段によって前記第２の電源供給手段の電圧／電流が供給された前記データ記憶手段に保存されている前記ログデータを読み出し、前記通信ネットワークを介して前記サービスセンターへ送信することを特徴とする請求項４記載の医用診断装置。
【請求項６】
被検体に対する医療データを収集する各ユニットにおける故障情報を、通信ネットワークを介してサービスセンターへ送信する医用診断装置において、
前記各ユニットの故障情報に対応したログデータを生成するログデータ生成手段と、
前記ログデータを保存するデータ記憶手段と、
前記ログデータ生成手段及び前記データ記憶手段と前記各ユニットに対し所定の電圧／電流を供給する第１の電源供給手段と、
前記第１の電源供給手段に対して独立な第２の電源供給手段と、
前記第１の電源供給手段から供給される電圧／電流と前記第２の電源供給手段から供給される電圧／電流の切り替え制御を行なう電源ライン制御手段と、
前記第２の電源供給手段が供給した電圧／電流を用いて前記ログデータを前記データ記憶手段から読み出し、前記通信ネットワークへ送信するログデータ送信手段とを備え、
前記第１の電源供給手段が故障した場合、前記電源ライン制御手段は、前記第２の電源供給手段による電圧／電流を前記データ記憶手段へ供給することを特徴とする医用診断装置。
【請求項７】
前記ログデータ送信手段は、少なくとも前記第２の電源供給手段によって所定の電圧／電流が供給されることを特徴とする請求項６記載の医用診断装置。
【請求項８】
前記データ記憶手段は、前記ログデータを前記通信ネットワークへ送信するための通信用ソフトウェアを記憶することを特徴とする請求項１又は請求項４又は請求項６の何れか１項に記載した医用診断装置。
【請求項９】
被検体に対する医療データを収集する各ユニットにおける故障情報を、通信ネットワークを介してサービスセンターへ送信する故障情報送信方法であって、
ログデータ生成手段が、前記各ユニットの故障情報に対応したログデータを生成するステップと、
着脱自在なデータ記憶手段が、第１の電源供給手段によって前記ログデータを保存するステップと、
前記第１の電源供給手段が故障した場合、ログデータ送信手段が、前記第１の電源供給手段から切り離されこの第１の電源供給手段に対して独立な第２の電源供給手段に接続された前記データ記憶手段から前記ログデータを読み出し、前記ネットワークを介して前記サービスセンターへ送信するステップとを
有することを特徴とする故障情報送信方法。
【請求項１０】
被検体に対する医療データを収集する各ユニットにおける故障情報を、通信ネットワークを介してサービスセンターへ送信する故障情報送信方法であって、
ログデータ生成手段が、前記各ユニットの故障情報に対応したログデータを生成するステップと、
データ記憶手段が、第１の電源供給手段によって前記ログデータを保存するステップと、
前記第１の電源供給手段が故障した場合、電源ライン制御手段が、前記データ記憶手段に対する電源供給手段を前記第１の電源供給手段から、この第１の電源供給手段に対して独立な第２の電源供給手段へ切り替えるステップと、
ログデータ送信手段が、前記第２の電源供給手段によって電圧／電流が供給された前記データ記憶手段から前記ログデータを読み出し、前記ネットワークを介して前記サービスセンターへ送信するステップとを
有することを特徴とする故障情報送信方法。
【発明の詳細な説明】
【技術分野】
【０００１】
本発明は、医用診断装置及び故障情報送信方法に係り、特に、装置の故障に関する情報をこの装置のメンテナンスを担当するサービスセンターへ正確かつ確実に送信することが可能な医用診断装置及び故障情報送信方法に関する。
【背景技術】
【０００２】
Ｘ線診断装置やＸ線ＣＴ装置、あるいはＭＲＩ装置等の医用画像診断装置をはじめとする各種医用診断装置は、コンピュータ技術の発展に伴って急速な進歩を遂げ、今日の医療において必要不可欠なものとなっている。
【０００３】
このような医用診断装置の製造元あるいは販売元には、装置の故障に対して対応可能なサービスセンターが設けられている。そして、医療施設における医師や検査技師等の医療従事者（以下、操作者と呼ぶ。）から装置故障の連絡と修理の依頼を受けたサービスセンターのメンテナンス担当者は、操作者が電話等によって伝える故障状況の情報に基づいて故障原因や故障個所を推定し、この故障に好適な交換部品等を携えて当該医療施設へ出向くという方法が従来行なわれてきた。
【０００４】
この場合、操作者から提供される故障状況に関する情報の正確さ、あるいはこの情報に基づいてメンテナンス担当者が行なう故障原因や故障個所の推定精度は、操作者やメンテナンス担当者の医用診断装置に対する知識や経験等に大きく依存する場合が多い。そして、正確な故障分析が行なわれない場合、メンテナンス担当者は、誤った交換部品を携えて当該医療施設へ出向くことになり修理を効率よく行なうことが不可能となる。即ち、故障した医用診断装置において使用不可能な時間（ダウンタイム）が長時間に渡って発生し、診断効率が著しく低下するという大きな問題点を有していた。
【０００５】
このような問題点を解決するために、近年では、通信ネットワークを介して医療施設の医用診断装置とサービスセンターの端末装置（以下では、故障解析装置と呼ぶ。）を接続し、医療施設からサービスセンターへ供給される医用診断装置のログデータ（故障情報）を受信したサービスセンターの故障解析装置は、このログデータに基づいて医用診断装置における故障の有無や故障個所、更には、故障原因の解析を行なう方法が提案されている（例えば、特許文献１参照。）。
【０００６】
図８は、上述の方法が適用された医用診断装置の従来例を示したものであり、この医用診断装置５００は、被検体から画像データや生体信号等の医療データを収集する医療データ収集部５０２と、この医療データを保存する医療データ記憶部５０３と、前記医療データをモニタ等に表示する表示部５０４と、医療データ収集条件の設定、被検体情報や各種コマンド信号の入力等を行なう入力部５１０を備え、更に、上述の各ユニットの動作状況を示すログデータを生成するログデータ生成部５０５と、前記ログデータを所定フォーマットに変換し通信ネットワーク５３０を介してサービスセンターの故障解析装置５２０へ送信するログデータ送信部５０７と、上述の各ユニットを統括的に制御するシステム制御部５１１と、これらの各ユニットに電圧／電流を供給する電源部５１２を備えている。
【０００７】
一方、通信ネットワーク５３０を介し医療施設の医用診断装置５００と接続されているサービスセンターの故障解析装置５２０は、医用診断装置５００のログデータ送信部５０７から供給されたログデータを一旦保存するログデータ記憶部５２１と、このログデータを用いて故障解析を行なう故障解析部５２２と、解析結果を表示する表示部５２３を備えている。
【０００８】
この方法によれば、医用診断装置５００の動作状況や故障状況に関する客観的かつ詳細な情報としてのログデータが当該医療施設から遠隔地のサービスセンターへ適時供給され、サービスセンターでは、これらの情報に基づいた故障個所や故障原因等の解析が自動的に行なわれるため、操作者やメンテナンス担当者の知識や経験に左右されることなく常に正確な故障解析が可能となる。即ち、故障の修復に必要な交換部品の調達等を複数回繰り返すことが無くなるため効率のよいメンテナンスが可能となり、ダウンタイムを最小限に抑えることができる。
【特許文献１】特開２００３−２９０２２４号公報
【発明の開示】
【発明が解決しようとする課題】
【０００９】
しかしながら、上述の医用診断装置５００における電源部５１２に故障が発生した場合、この電源部５１２から電圧／電流が供給されなくなったユニットはその動作を停止し、特に、ログデータ送信部５０７は、ログデータ生成部５０５が生成したログデータをサービスセンターの故障解析装置５２０へ供給することが不可能となるという問題点を有していた。
【００１０】
本発明は上述の問題点に鑑みてなされたものであり、その目的は、電源部が故障した状態においても装置の動作状況を示すログデータ等の故障情報を医用診断装置の保守を担当するサービスセンターへ供給することが可能な医用診断装置及び故障情報送信方法を提供することにある。
【課題を解決するための手段】
【００１１】
上述の課題を解決するために、請求項１に係る本発明の医用診断装置は、被検体に対する医療データを収集する各ユニットにおける故障情報を、通信ネットワークを介してサービスセンターへ送信する医用診断装置において、前記各ユニットの故障情報に対応したログデータを生成するログデータ生成手段と、前記ログデータを保存する着脱自在なデータ記憶手段と、前記ログデータ生成手段及び前記データ記憶手段と前記各ユニットに対し所定の電圧／電流を供給する第１の電源供給手段とを備えたことを特徴としている。
【００１２】
又、請求項４に係る本発明の医用診断装置は、被検体に対する医療データを収集する各ユニットにおける故障情報を、通信ネットワークを介してサービスセンターへ送信する医用診断装置において、前記各ユニットの故障情報に対応したログデータを生成するログデータ生成手段と、前記ログデータを保存するデータ記憶手段と、前記ログデータ生成手段及び前記データ記憶手段と前記各ユニットに対し所定の電圧／電流を供給する第１の電源供給手段と、前記第１の電源供給手段に対して独立な第２の電源供給手段から供給される電圧／電流と前記第１の電源供給手段から供給される電圧／電流の切り替え制御を行なう電源ライン制御手段を備え、前記第１の電源供給手段が故障した場合、前記電源ライン制御手段は、前記第２の電源供給手段による電圧／電流を前記データ記憶手段へ供給することを特徴としている。
【００１３】
更に、請求項６に係る本発明の医用診断装置は、被検体に対する医療データを収集する各ユニットにおける故障情報を、通信ネットワークを介してサービスセンターへ送信する医用診断装置において、前記各ユニットの故障情報に対応したログデータを生成するログデータ生成手段と、前記ログデータを保存するデータ記憶手段と、前記ログデータ生成手段及び前記データ記憶手段と前記各ユニットに対し所定の電圧／電流を供給する第１の電源供給手段と、前記第１の電源供給手段に対して独立な第２の電源供給手段と、前記第１の電源供給手段から供給される電圧／電流と前記第２の電源供給手段から供給される電圧／電流の切り替え制御を行なう電源ライン制御手段と、前記第２の電源供給手段が供給した電圧／電流を用いて前記ログデータを前記データ記憶手段から読み出し、前記通信ネットワークへ送信するログデータ送信手段とを備え、前記第１の電源供給手段が故障した場合、前記電源ライン制御手段は、前記第２の電源供給手段による電圧／電流を前記データ記憶手段へ供給することを特徴としている。
【００１４】
一方、請求項９に係る本発明の故障情報送信方法は、被検体に対する医療データを収集する各ユニットにおける故障情報を、通信ネットワークを介してサービスセンターへ送信する故障情報送信方法であって、ログデータ生成手段が、前記各ユニットの故障情報に対応したログデータを生成するステップと、着脱自在なデータ記憶手段が、第１の電源供給手段によって前記ログデータを保存するステップと、前記第１の電源供給手段が故障した場合、ログデータ送信手段が、前記第１の電源供給手段から切り離されこの第１の電源供給手段に対して独立な第２の電源供給手段に接続された前記データ記憶手段から前記ログデータを読み出し、前記ネットワークを介して前記サービスセンターへ送信するステップとを有することを特徴としている。
【００１５】
又、請求項１０係る本発明の故障情報送信方法は、被検体に対する医療データを収集する各ユニットにおける故障情報を、通信ネットワークを介してサービスセンターへ送信する故障情報送信方法であって、ログデータ生成手段が、前記各ユニットの故障情報に対応したログデータを生成するステップと、データ記憶手段が、第１の電源供給手段によって前記ログデータを保存するステップと、前記第１の電源供給手段が故障した場合、電源ライン制御手段が、前記データ記憶手段に対する電源供給手段を前記第１の電源供給手段から、この第１の電源供給手段に対して独立な第２の電源供給手段へ切り替えるステップと、ログデータ送信手段が、前記第２の電源供給手段によって電圧／電流が供給された前記データ記憶手段から前記ログデータを読み出し、前記ネットワークを介して前記サービスセンターへ送信するステップとを有することを特徴としている。
【発明の効果】
【００１６】
本発明によれば、電源部が故障した状態においても医用診断装置の動作状況や故障状況に関する詳細な情報（故障情報）を前記医用診断装置のメンテナンスを担当するサービスセンターに供給することができる。このため、精度の高い故障解析が可能となり、この解析結果に基づく効率のよい修復作業により医用診断装置のダウンタイムを短縮することができる。
【発明を実施するための最良の形態】
【００１７】
以下、図面を参照して本発明の実施例を説明する。
【実施例１】
【００１８】
以下に述べる本発明の第１の実施例では、医用診断装置のログデータ生成部が生成した装置内の各ユニットに対するログデータを着脱可能なデータ記憶部に順次保存する。そして、この医用診断装置の電源部に故障が発生した場合、医用診断装置から取り外したデータ記憶部を、通信ネットワークを介してサービスセンターの故障解析装置と別途接続されたログデータ送信装置に装着することによりデータ記憶部に保存されたログデータを前記故障解析装置に供給する。
【００１９】
尚、以下では、通信ネットワークを介して遠隔地のサービスセンターと接続される医用診断装置として超音波診断装置を例に説明するが、Ｘ線装置、Ｘ線ＣＴ装置、ＭＲＩ装置、核医学装置等の他の画像診断装置であってもよく、心電計や脳波計等の生体情報計測装置であっても構わない。
【００２０】
（装置の構成）
本発明の第１の実施例における医用診断装置の構成につき図１及び図２を用いて説明する。尚、図１は、医用診断装置の全体構成を示すブロック図であり、図２は、この医用診断装置を構成する医療データ収集部の具体的な構成を示すブロック図である。
【００２１】
図１に示すように医療施設に設置された医用診断装置１００は、ＴＣＰ／ＩＰプロトコル等を用いた通信ネットワーク１３０を介し遠隔地のサービスセンターに設置された故障解析装置１２０と接続されている。
【００２２】
この医用診断装置１００は、被検体から画像データや計測データ等を医療データとして収集する医療データ収集部２と、これらの医療データを保存する医療データ記憶部３と、医療データ収集部２が収集した医療データあるいは医療データ記憶部３に一旦保存された医療データをモニタ等に表示する表示部４と、画像データや計測データの収集条件の設定、被検体情報や各種コマンド信号の入力等を行なう入力部１０を備え、更に、上述の医療データ収集部２、医療データ記憶部３、表示部４及び入力部１０と後述の電源部１２及びシステム制御部１１から供給されるこれらのユニットにおける動作状況や故障状況の情報に基づいてログデータを生成するログデータ生成部５と、生成されたログデータを所定のフォーマットに変換し、通信ネットワーク１３０を介してサービスセンターの故障解析装置１２０へ送信するログデータ送信部７と、これらの各ユニットを統括的に制御するシステム制御部１１と、上述の各ユニット及び後述のデータ記憶部８に対して所定の電圧／電流を供給する電源部１２を備えている。
【００２３】
又、医用診断装置１００は、ログデータ生成部５が生成したログデータや、このログデータを故障解析装置１２０に送信する際に用いられる通信ソフトウエア等が保存されている着脱可能なデータ記憶部８と、このデータ記憶部８に対してログデータや電圧／電流を供給するためのＵＳＢ／ＩＦ（インターフェイス）９を備えている。
【００２４】
次に、医療データ収集部２の具体的な構成につき図２のブロック図を用いて説明する。被検体に対して超音波画像データや超音波計測データ（超音波時系列データ）の収集を行なう本実施例の医療データ収集部２は、当該被検体に対して超音波の送受波を行なう超音波プローブ２１と、超音波プローブ２１に対して送受信を行なう送受信部２２と、送受信部２２から得られた受信信号に基づいてＢモードデータやカラードプラデータ、更には、ドプラスペクトラムを生成するデータ生成部２４を備え、更に、データ生成部２４において得られたＢモードデータ及びカラードプラデータを送受波方向に対応させて保存しＢモード画像データ及びカラードプラ画像データを生成すると共に、所定送受波方向に対して得られたドプラスペクトラム及びＢモードデータを時系列的に保存してドプラスペクトラムデータ及びＭモードデータを生成する画像・時系列データ生成部２５を備えている。
【００２５】
超音波プローブ２１は、１次元あるいは２次元に配列された複数個の微小な超音波振動子をその先端部に有している。この超音波振動子は電気音響変換素子であり、送信時には電気パルスを超音波パルス（送信超音波）に変換し、又、受信時には超音波反射波（受信超音波）を電気信号（受信信号）に変換する機能を有し、図示しないケーブルを介して送受信部２２に接続されている。超音波プローブ２１にはセクタ走査対応、リニア走査対応、コンベックス走査対応等があり、診断部位に応じて任意に選択される。以下ではセクタ走査用の超音波プローブ２１を用いた場合について述べるが、この方法に限定されるものではなく、リニア走査対応あるいはコンベックス走査対応であっても構わない。
【００２６】
セクタ走査用の送受信部２２は、超音波プローブ２１から送信超音波を放射するための駆動信号を生成する送信部２２１と、超音波プローブ２１からの受信信号に対して整相加算（位相を合わせて加算合成）を行なう受信部２２２を備えている。
【００２７】
送信部２２１は、送信超音波を所定深さに収束するための遅延時間と所定方向に放射するための遅延時間を有した駆動パルスを生成して超音波プローブ２１の超音波振動子を駆動し、受信部２２２は、前記超音波振動子から供給される複数の受信信号の各々に対し、所定の深さからの超音波反射波を集束するための集束用遅延時間と所定方向に対して受信指向性を設定するための偏向用遅延時間を与えて加算合成する。
【００２８】
一方、データ生成部２４は、受信部２２２から出力された受信信号に対し包絡線検波と対数変換を行なってＢモードデータを生成するＢモードデータ生成部２４１と、前記受信信号に対し直交位相検波を行なってドプラ信号を検出するドプラ信号検出部２４２と、検出されたドプラ信号に基づいてカラードプラデータを生成するカラードプラデータ生成部２４３と、前記ドプラ信号の周波数スペクトラム（ドプラスペクトラム）を生成するスペクトラム生成部２４４を備えている。
【００２９】
次に、画像・時系列データ生成部２５は、超音波送受波によって得られた受信信号に基づいてデータ生成部２４が生成したＢモードデータやカラードプラデータを超音波送受波方向に対応させて順次保存し、Ｂモード画像データ及びカラードプラ画像データを生成する。更に、画像・時系列データ生成部２５は、所望の送受波方向に対する複数回の超音波送受波によって得られたＢモードデータを時系列的に保存してＭモードデータを生成し、同様な超音波送受波により所望の送受波方向及び距離（深さ）から得られた受信信号に基づくドプラスペクトラムを時系列的に保存してドプラスペクトラムデータを生成する。
【００３０】
尚、上述の送受信部２２及びデータ生成部２４の構成や機能については特開２００５−８１０８１号公報等において記載されているためその詳細な説明は省略する。
【００３１】
図１に戻って、医療データ記憶部３は、医療データ収集部２において収集される画像データや計測データ等の医療データの保存、あるいは表示部４において生成される表示データ等の保存を行なう。
【００３２】
表示部４は、例えば、図示しない表示データ生成回路と変換回路とモニタを備え、前記表示データ生成回路は、医療データ収集部２が生成した医療データあるいは医療データ記憶部３に保存された医療データに対しシステム制御部１１から供給される被検体情報等の付帯情報を付加して表示データを生成する。一方、前記変換回路は、前記表示データに対してＤ／Ａ変換とテレビフォーマット変換を行なって映像信号を生成し前記モニタに表示する。
【００３３】
入力部１０は、操作パネル上に表示パネルやキーボード、トラックボール、マウス、選択ボタン等の入力デバイスを備え、被検体情報の入力、画像データ及び医療データ収集条件の設定、画像モード及び計測モードの選択、画像データ及び計測データの選択、更には、各種コマンド信号の入力等を行なう。
【００３４】
次に、ログデータ生成部５は、システム制御部１１を介して医用診断装置１００の各ユニットから供給される動作状況や故障状況、更には、装置情報等に基づいて所定フォーマットのログデータを生成する。例えば動作状況の情報として、Ｂモード／カラードプラモード等の画像モード及びＭモード／ドプラスペクトラムモード等の計測モードとこれらの各モードにおいて使用される超音波プローブ２１に関する情報、検査所要時間や検査頻度に関する情報、医用診断装置１００の各ユニットにおいて計測される電圧／電流や発熱温度に関する情報等があり、装置情報として医用診断装置１００あるいは医用診断装置１００における各ユニットの製造番号や製造年月日、ソフトウエアのバージョン等に関する情報がある。
【００３５】
ログデータ送信部７は、図示しないＣＰＵと記憶回路を備え、前記記憶回路にはログデータ生成部５が生成した医用診断装置１００のログデータを通信ネットワーク１３０を介してサービスセンターの故障解析装置１２０に送信するための通信用ソフトウエアが予め保管されている。そして、前記ＣＰＵは、ログデータ生成部５から供給されたログデータを上述の通信用ソフトウエアを用いて所定のフォーマットに変換し、ＴＣＰ／ＩＰプロトコル等に基づく通信ネットワーク１３０に出力する。
【００３６】
システム制御部１１は、図示しないＣＰＵと記憶回路を備え、入力部１０から供給される上述の入力情報、設定情報及び選択情報は前記記憶回路に保存される。一方、前記ＣＰＵは、上述の各情報や入力部１０から直接入力される各種コマンド信号に基づいて医用診断装置１００の各ユニットを統括的に制御する。又、これらの各ユニットにおける動作状況や故障状況に関する情報を収集してログデータ生成部５に供給する機能を有している。
【００３７】
電源部１２は、例えば、ＡＣ／ＤＣ電源を備え、上述の医療データ収集部２、医療データ記憶部３、表示部４、入力部１０、システム制御部１１、ログデータ生成部５、ログデータ送信部７の各ユニットに対して所定の電圧／電流を供給し、更に、ログデータ生成部５が生成したログデータを後述のデータ記憶部８に保存する際には、所定の電圧／電源を、ＵＳＢ／ＩＦ９を介してデータ記憶部８に供給する。
【００３８】
次に、医用診断装置１００に対し着脱可能に設けられたデータ記憶部８は、ログデータ記憶部８１と通信ソフトウエア記憶部８２を有している。
【００３９】
データ記憶部８のログデータ記憶部８１には、ログデータ生成部５からＵＳＢ／ＩＦ９を介して供給されるログデータが順次保存される。このとき、ログデータの保存に必要な電圧／電流もＵＳＢ／ＩＦ９を介して電源部１２から供給される。一方、通信ソフトウエア記憶部８２には、ログデータ生成部５が生成した医用診断装置１００のログデータを通信ネットワーク１３０を介してサービスセンターの故障解析装置１２０に送信するために必要な通信用ソフトウエアが予め保管されている。この通信ソフトウエア記憶部８２には、通常、上述のログデータ送信部７の記憶回路に保管されている通信用ソフトウエアと略同様なソフトウエアが保管され、この通信用ソフトウエアとして、例えば、サービスセンターのＷｅｂサイトへアクセスして上述のログデータ（故障情報）をアップロードするソフトウエアや前記ログデータを添付したｅ−ｍａｉｌをサービスセンター宛に送信するソフトウエア等が用いられる。
【００４０】
次に、上述の医用診断装置１００から取り出されたデータ記憶部８のログデータを読み出し、通信ネットワーク１３０を介してサービスセンターの故障解析装置１２０へ供給するログデータ送信装置１１０と上述の故障解析装置１２０の構成について説明する。
【００４１】
当該医療施設において医用診断装置１００に対し独立に設置されたログデータ送信装置１１０は、図１に示すように医用診断装置１００に設けられたＵＳＢ／ＩＦ９と略同様の仕様を有するＵＳＢ／ＩＦ１１２と、汎用のコンピュータ（例えば、パーソナルコンピュータ）１１３を有し、ログデータ送信装置１１０に装着されたデータ記憶部８の信号／電源端子はＵＳＢ／ＩＦ１１２の一方の端子に接続され、ＵＳＢ／ＩＦ１１２の他の端子は、コンピュータ１１３の信号／電源端子に接続される。又、コンピュータ１１３の外部出力端子は通信ネットワーク１３０に接続されている。
【００４２】
一方、サービスセンターの故障解析装置１２０は、ログデータ記憶部１２１と故障解析部１２２と表示部１２３を備えている。
【００４３】
ログデータ記憶部１２１は、図示しないネットワークインターフェイスを介して通信ネットワーク１３０に接続され、この通信ネットワーク１３０を介して医用診断装置１００から直接あるいはログデータ送信装置１１０を介して供給されるログデータを一旦保存する。一方、故障解析部１２２は、ログデータ記憶部１２１から適時読み出したログデータを用いて医用診断装置１００の故障解析を行ない、得られた解析結果は表示部１２３のモニタに表示される。
【００４４】
（ログデータの送信手順）
次に、本実施例におけるログデータの送信手順につき図３のフローチャートに沿って説明する。
【００４５】
被検体に対する医療データの収集に先立って、医用診断装置１００の操作者は、被検体情報の入力、画像モード／検査モードの選択、医療データ（画像データ／検査データ）の選択、医療データ収集条件の設定等の初期設定を入力部１０にて行なう。そして、これらの入力／選択／設定情報をシステム制御部１１の記憶回路に保存する（図３のステップＳ１）。
【００４６】
上述の初期設定が終了したならば、操作者は、医療データの収集開始コマンドを入力部１０より入力し、次いで、医療データ収集部２における超音波プローブ２１の先端（超音波送受波面）を被検体体表面に固定する。上述のステップＳ１において画像モードが予め選択された場合、医療データの収集開始コマンドを入力部１０から受信したシステム制御部１１は、医療データ収集部２の送受信部２２を制御して当該被検体の２次元あるいは３次元領域に対し超音波送受波を行なう。
【００４７】
次いで、データ生成部２４のＢモードデータ生成部２４１及びカラードプラデータ生成部２４３は、このとき得られた受信信号に基づいてＢモードデータ及びカラードプラデータを生成し、画像・時系列データ生成部２５は、これらのデータを超音波の送受波方向に対応させて配置しＢモード画像データ及びカラードプラ画像データを生成する。そして、得られたこれらの画像データは表示部４のモニタに表示される。
【００４８】
一方、上述の初期設定にて検査モードが選択された場合、操作者は、表示部４に表示された画像データの観測下にて検査に好適な超音波の送受波方向あるいは関心領域を入力部１０の入力デバイスを用いて設定する。そして、システム制御部１１は、入力部１０から供給された設定情報に基づいて送受信部２２を制御し、被検体の前記送受波方向あるいは前記関心領域に対する超音波送受波を所定間隔で繰り返す。
【００４９】
次いで、データ生成部２４のＢモードデータ生成部２４１とスペクトラム生成部２４４は、このとき得られた受信信号に基づいてＢモードデータとドプラスペクトラムを生成する。そして、画像・時系列データ生成部２５は、Ｂモードデータ及びドプラスペクトラムを時系列的に配置してＭモードデータ及びドプラスペクトラムデータを生成し表示部４に表示すると共に医療データ記憶部３に保存する（図３のステップＳ２）。
【００５０】
一方、システム制御部１１は、医用診断装置１００における上述の各ユニットに対して制御信号を供給すると共に、これらのユニットから収集した動作状況や故障状況等の情報をログデータ生成部５へ供給し、ログデータ生成部５はこれらの情報に基づいてログデータを生成する。そして、生成されたログデータは、ＵＳＢ／ＩＦ９を介してデータ記憶部８のログデータ記憶部８１に保存され、更に、ログデータ送信部７へ供給される（図３のステップＳ３）。
【００５１】
上述の医療データの収集及びログデータの生成の過程で、例えば、医療データ収集部２、医療データ記憶部３、表示部４、入力部１０及びシステム制御部１１の少なくとも何れかにおいて故障が発生した場合、ログデータ送信部７のＣＰＵは、自己の記憶回路に予め保管されている通信用ソフトウエアを起動し、この通信用ソフトウエアを用いてログデータ生成部５から供給されたログデータを所定のフォーマットに変換する。そして、変換後のログデータを、通信ネットワーク１３０を介しサービスセンターの故障解析装置１２０へ送信する（図３のステップＳ４）。
【００５２】
一方、故障解析装置１２０は、通信ネットワーク１３０を介してログデータ送信部７から供給された医用診断装置１００のログデータをログデータ記憶部１２１に一旦保存する。次いで、故障解析部１２２は、ログデータ記憶部１２１から読み出したログデータを用いて医用診断装置１００の故障解析を行ない、その解析結果を表示部１２３に表示する（図３のステップＳ７）。
【００５３】
このような手順を繰り返すことにより、故障解析装置１２０は、医用診断装置１００から供給されるログデータに基づいて故障解析を継続的に行なう。そして、医療データ収集部２、医療データ記憶部３、表示部４、入力部１０及びシステム制御部１１において故障が認められた場合には、その旨を医療施設の操作者に連絡すると共に修理に必要な交換部品等を携えて医療施設に出向き修理を行なう（図３のステップＳ８）。
【００５４】
一方、上述のステップＳ２及びステップＳ３における医療データの収集及びログデータの生成の過程で、電源部１２において故障が発生した場合、ログデータ送信部７に対する電圧／電流の供給が停止され、従って、故障情報が含まれたログデータをログデータ送信部７から故障解析装置１２０に対し送信することが不可能となる。
【００５５】
電源部１２の故障に伴なってログデータ送信部７の送信機能が停止した場合、操作者は、故障が発生する直前までのログデータ（即ち、故障の前兆情報が含まれたログデータ）が保存されているデータ記憶部８を医用診断装置１００から取り出し、別途設けられたログデータ送信装置１１０に装着する（図３のステップＳ５）。
【００５６】
一方、ＵＳＢ／ＩＦ１１２を介してデータ記憶部８と接続されたログデータ送信装置１１０のコンピュータ１１３は、データ記憶部８の通信ソフトウエア記憶部８２に予め保管されている通信用ソフトウエアを起動し、更に、ログデータ記憶部８１に保存されている故障直前あるいは故障時のログデータを読み出す。そして、このログデータを前記通信用ソフトウエアを用いて所定フォーマットに変換する。次いで、コンピュータ１１３は、変換後のログデータを、通信ネットワーク１３０を介してサービスセンターの故障解析装置１２０へ送信し、ログデータ記憶部１２１に一旦保存する（図３のステップＳ６）。
【００５７】
次に、故障解析装置１２０の故障解析部１２２は、ログデータ記憶部１２１から読み出したログデータを用いて医用診断装置１００の故障解析を行ない（図３のステップＳ７）、その解析結果を表示部１２３に表示する。
【００５８】
そして、サービスセンターのメンテナンス担当者は、表示部１２３に表示された故障解析結果を医療施設の操作者に報告すると共に修理に必要な交換部品等を携えて医療施設に出向き修理を行なう（図３のステップＳ８）。
【００５９】
以上述べた本発明の第１の実施例によれば、電源部が故障した状態においても医用診断装置の動作状況や故障状況に関する詳細な情報（故障情報）を前記医用診断装置のメンテナンスを担当するサービスセンターに対して供給することができる。このため、精度の高い故障解析が可能となり、この解析結果に基づく効率のよい修復作業により装置のダウンタイムを短縮することができる。
【００６０】
特に、故障情報が含まれた各ユニットのログデータに基づいて故障解析を行なっているため、精度の高い故障解析が可能となる。
【００６１】
又、本実施例によれば、電源部の故障に際し、ログデータが含まれたデータ記憶部を医用診断装置から取り出し、サービスセンターの故障解析装置と別途接続されたログデータ送信装置に装着することによって前記ログデータを送信する方法がとられているため、電源部の故障と並行して発生する他のユニットの故障の有無に関わらずサービスセンターに対するログデータの送信を確実に行なうことができる。
【００６２】
更に、医療施設の医用診断装置１００がサービスセンターの故障解析装置１２０を結ぶネットワーク１３０に直接接続されていないような場合においても、上述の実施例によればネットワーク１３０を介しサービスセンターへログデータを送信することができる。しかも、このネットワーク１３０との接続を可能とするログデータ送信装置は、汎用のパーソナルコンピュータによって容易に構成することができる。
【００６３】
尚、上述の第１の実施例におけるデータ記憶部８は、通信用ソフトウエアが予め保管された通信ソフトウエア記憶部８２を備えている場合について述べたが、これに限定されるものではなく、ログデータ送信装置１１０に設けられた記憶回路に上述の通信用ソフトウエアが予め保管されていてもよい。
【００６４】
又、このログデータ送信装置１１０は、医用診断装置１００と独立に設置されている場合について述べたが、医用診断装置１００を構成するユニットであってもよい。
【実施例２】
【００６５】
次に、本発明の第２の実施例について説明する。この第２の実施例では、医用診断装置のログデータ生成部が生成した装置内の各ユニットに対するログデータをデータ記憶部に順次保存する。そして、医用診断装置の電源部が故障した場合、この電源部からデータ記憶部に電圧／電流を供給する電源ライン（第１の電源ライン）を、医用診断装置の外部に別途設けられ通信ネットワークを介してサービスセンターの故障解析装置と接続されたログデータ送信装置の電源ライン（第２の電源ライン）に自動的に切り替えることにより、データ記憶部に保存されたログデータをログデータ送信装置及び通信ネットワークを介して故障解析装置へ供給する。
【００６６】
（装置の構成）
本発明の第２の実施例における医用診断装置の構成につき図４のブロック図を用いて説明する。尚、図４において、図１の医用診断装置１００と同様の構成及び機能を有するユニットは同一の符号を付加し詳細な説明は省略する。
【００６７】
即ち、図４において医療施設に設置された医用診断装置２００は、ＴＣＰ／ＩＰプロトコル等を用いた通信ネットワーク１３０を介し遠隔地のサービスセンターに設置された故障解析装置１２０と接続されている。
【００６８】
この医用診断装置２００は、被検体から画像データや計測データ等を医療データとして収集する医療データ収集部２と、これらの医療データを保存する医療データ記憶部３と、医療データ収集部２が収集した医療データあるいは医療データ記憶部３に一旦保存された医療データをモニタ等に表示する表示部４と、画像データや計測データの収集条件の設定、被検体情報や各種コマンド信号の入力等を行なう入力部１０を備え、更に、上述の医療データ収集部２、医療データ記憶部３、表示部４及び入力部１０と後述の電源部１２及びシステム制御部１１から供給されるこれらのユニットにおける動作状況や故障状況の情報に基づいてログデータを生成するログデータ生成部５と、生成されたログデータを所定フォーマットに変換し、通信ネットワーク１３０を介してサービスセンターの故障解析装置１２０へ送信するログデータ送信部７と、これらの各ユニットを統括的に制御するシステム制御部１１と、上述の各ユニット及び後述のデータ記憶部８に対して所定の電圧／電流を供給する電源部１２を備えている。
【００６９】
又、医用診断装置１００は、ログデータ生成部５が生成したログデータや、このログデータを故障解析装置１２０に送信する際に用いられる通信ソフトウエア等が予め保管されているデータ記憶部８と、このデータ記憶部８に対する電源ラインや信号ラインの接続を制御する電源／信号ライン制御部１３を備えている。
【００７０】
電源／信号ライン制御部１３は、医用診断装置２００の電源部１２からデータ記憶部８のログデータ記憶部８１へ電圧／電流を供給する電源ライン（第１の電源ライン）と、医用診断装置２００に対し独立に設けられたログデータ送信装置１４０から前記データ記憶部８のログデータ記憶部８１及び通信ソフトウエア記憶部８２へ電圧／電流を供給する電源ライン（第２の電源ライン）との切り替えを行なう電源ライン切り替え機能を有している。
【００７１】
更に、電源／信号ライン制御部１３は、医用診断装置２００のログデータ生成部５が生成したログデータをデータ記憶部８のログデータ記憶部８１へ供給する信号ライン（第１の信号ライン）と、データ記憶部８のログデータ記憶部８１及び通信ソフトウエア記憶部８２に保存されたログデータ及び通信用ソフトウエアを読み出して前記ログデータ送信装置１４０へ供給するための信号ライン（第２の信号ライン）との切り替えを行なう信号ライン切り替え機能をも有している。
【００７２】
そして、電源／信号ライン制御部１３における電源ライン及び信号ラインの切り替えは、電源部１２から供給される電圧／電流の値に基づいて行なわれる。例えば、電源／信号ライン制御部１３は図示しない電圧／電流検出部を備え、電源部１２から供給された電圧／電流の値が予め設定された正常範囲から外れた場合、電源部１２は故障状態にあると判断する。そして、電源／信号ライン制御部１３は第１の電源ライン及び第１の信号ラインを第２の電源ライン及び第２の信号ラインへ切り替える。
【００７３】
一方、電源部１２は、例えば、ＡＣ／ＤＣ電源を備え、上述の医療データ収集部２、医療データ記憶部３、表示部４、入力部１０、システム制御部１１、ログデータ生成部５、ログデータ送信部７の各ユニットに対して電圧／電流を供給し、更に、ログデータ生成部５が生成したログデータをデータ記憶部８に保存する際には、所定の電圧／電源を上述の第１の電源ラインを介してデータ記憶部８へ供給する。
【００７４】
次に、データ記憶部８は、ログデータ記憶部８１と通信ソフトウエア記憶部８２を備え、電源部１２が正常に機能している場合、データ記憶部８には、ログデータ生成部５から第１の信号ラインを介して供給されるログデータが順次保存される。このとき、ログデータの保存に必要な電圧／電流は第１の電源ラインを介して電源部１２から供給される。一方、通信ソフトウエア記憶部８２には、通信ネットワーク１３０を介してサービスセンターの故障解析装置１２０へログデータを送信するために必要な通信用ソフトウエアが予め保管されている。
【００７５】
又、電源部１２に故障が発生した場合、電源／信号ライン制御部１３の電源ライン切り替えによりログデータ送信装置１４０からログデータ記憶部８１及び通信ソフトウエア記憶部８２へ所定の電圧／電流が第２の電源ラインを介して供給される。更に、電源／信号ライン制御部１３の信号ライン切り替えによりログデータ送信装置１４０の信号端子とログデータ記憶部８１及び通信ソフトウエア記憶部８２は第２の信号ラインを介して接続される。そして、ログデータ記憶部８１に保存されたログデータと通信ソフトウエア記憶部８２に保管された通信用ソフトウエアは、上述の第２の信号ラインを介してログデータ送信装置１４０へ供給される。
【００７６】
次に、データ記憶部８に保存されたログデータを読み出し、通信ネットワーク１３０を介してサービスセンターの故障解析装置１２０へ供給するログデータ送信装置１４０について説明する。
【００７７】
このログデータ送信装置１４０は、図１に示すように医用診断装置２００に対して独立に設置され、ＵＳＢ／ＩＦ１４１と、汎用のコンピュータ（例えば、パーソナルコンピュータ）１４２を有している。そして、上述の第２の信号ラインはＵＳＢ／ＩＦ１４１を介してコンピュータ１４２の信号端子に接続され、第２の電源ラインはＵＳＢ／ＩＦ１４１を介してコンピュータ１４２の電源端子に接続されている。更に、コンピュータ１４２の外部出力端子はネットワーク１３０に接続されている。
【００７８】
（ログデータの送信手順）
次に、本実施例におけるログデータのサービスセンターへの送信手順を図５のフローチャートに沿って説明する。但し、図５において、図３に示したログデータ送信手順のステップと同一のステップは同一の符号を付加し詳細な説明は省略する。
【００７９】
医療データの収集に先立って医用診断装置２００の操作者は、各種の初期設定を入力部１０にて行なった後（図５のステップＳ１）、医療データの収集開始コマンドを入力し、システム制御部１１は、このコマンド信号に従って各ユニットを制御し医療データを収集する（図５のステップＳ２）。
【００８０】
更に、システム制御部１１は、これらのユニットから収集した動作状況や装置の情報をログデータ生成部５へ供給し、ログデータ生成部５はこれらの情報に基づいてログデータを生成する。そして、生成されたログデータは、第１の電源ラインを介してデータ記憶部８のログデータ記憶部８１に保存され、更に、ログデータ送信部７へ供給される（図５のステップＳ３）。
【００８１】
上述の医療データの収集及びログデータの生成の過程で、例えば、電源部１２以外のユニットにおいて故障が発生した場合、ログデータ送信部７のＣＰＵは、自己の記憶回路に予め保管されている通信用ソフトウエアを用いてログデータ生成部５から供給されたログデータを所定フォーマットに変換し、通信ネットワーク１３０を介してサービスセンターの故障解析装置１２０へ送信する（図５のステップＳ４）。
【００８２】
一方、故障解析装置１２０は、ログデータ送信部７から供給された医用診断装置１００のログデータを用いて故障解析を行ない（図５のステップＳ７）、故障が認められた場合には、その旨を医療施設の操作者に連絡すると共に修理に必要な交換部品等を携えて医療施設に出向き修理を行なう（図５のステップＳ８）。
【００８３】
一方、上述のステップＳ２及びステップＳ３における医療データの収集及びログデータの生成の過程で、電源部１２において故障が発生した場合、第１の電源ラインを介して電源部１２から供給される電圧／電流の値に異常が発生していることを検出した電源／信号ライン制御部１３は、第１の電源ラインを第２の電源ラインに、又、第１の信号ラインを第２の信号ラインに切り替える（図５のステップＳ５ａ）。
【００８４】
電源／信号ライン制御部１３による電源ライン及び信号ラインの切り替えにより、データ記憶部８の電源端子にはログデータ送信装置１４０から所定の電圧／電流が第２の電源ラインを介して供給され、又、データ記憶部８の信号入出力端子はログデータ送信装置１４０の信号入出力端子と接続される。
【００８５】
ＵＳＢ／ＩＦ１４１を介してデータ記憶部８と接続されたログデータ送信装置１４０のコンピュータ１４２は、データ記憶部８の通信ソフトウエア記憶部８２に予め保管されている通信用ソフトウエアを起動し、更に、ログデータ記憶部８１に保存されている故障直前あるいは故障時のログデータを読み出す。そして、このログデータを前記通信用ソフトウエアを用いて所定フォーマットに変換する。次いで、コンピュータ１４２は、変換後のログデータを、通信ネットワーク１３０を介してサービスセンターの故障解析装置１２０へ送信し、ログデータ記憶部１２１に一旦保存する（図５のステップＳ６ａ）。
【００８６】
次に、故障解析装置１２０の故障解析部１２２は、ログデータ記憶部１２１から読み出したログデータを用いて医用診断装置１００の故障解析を行ない（図５のステップＳ７）、その解析結果を表示部１２３に表示する。
【００８７】
そして、サービスセンターのメンテナンス担当者は、表示部１２３に表示された故障解析結果を医療施設の操作者に報告すると共に修理に必要な交換部品等を携えて医療施設に出向き修理を行なう（図５のステップＳ８）。
【００８８】
以上述べた本発明の第２の実施例によれば、電源部が故障した状態においても医用診断装置の動作状況や故障状況に関する詳細な情報（故障情報）を前記医用診断装置のメンテナンスを担当するサービスセンターに対して供給することができる。このため、精度の高い故障解析が可能となり、この解析結果に基づく効率のよい修復作業により装置のダウンタイムを短縮することができる。
【００８９】
特に、故障情報が含まれた各ユニットのログデータに基づいて故障解析を行なうことができるため、客観的かつ精度の高い故障解析が可能となる。
【００９０】
又、本実施例によれば、ログデータが保存されたデータ記憶部に対する電源／信号ラインは、電源部における故障状況（例えば、電圧／電流の異常値）の情報に基づいて第１の電源／信号ラインから第２の電源／信号ラインへ自動的に切り替わり、この第２の電源／信号ラインに基づいてログデータの読み出しと送信が行なわれるためログデータの送信を短時間で行なうことができ、操作者の負担は大幅に軽減される。
【００９１】
尚、上述の第２の実施例におけるデータ記憶部８は、通信用ソフトウエアが予め保管された通信ソフトウエア記憶部８２を備えている場合について述べたが、これに限定されるものではなく、ログデータ送信装置１４０に設けられた記憶回路に上述の通信用ソフトウエアが予め保管されていてもよい。
【００９２】
更に、このログデータ送信装置１４０は、医用診断装置２００と独立に設置されている場合について述べたが、医用診断装置２００を構成するユニットであっても構わない。
【００９３】
又、電源／信号ライン制御部１３とコンピュータ１４２を接続するＵＳＢ／ＩＦ１４１は、ログデータ送信装置１４０の内部に設ける場合を示したが医用診断装置２００の内部に設けられていてもよい。
【実施例３】
【００９４】
次に、本発明の第３の実施例について説明する。この第３の実施例では、医用診断装置のログデータ生成部が生成した装置内の各ユニットに対するログデータをデータ記憶部に順次保存する。そして、医用診断装置の電源部が故障した場合、この電源部からの電源ライン（第１の電源ライン）から前記電源部に対して独立に設けられた補助電源からの電源ライン（第２の電源ライン）へ自動的に切り替えることにより、データ記憶部に保存されたログデータを読み出しサービスセンターの故障解析装置へ供給する。
【００９５】
（装置の構成）
本発明の第３の実施例における医用診断装置の構成につき図６のブロック図を用いて説明する。尚、図６において、図１の医用診断装置１００と同様の構成及び機能を有するユニットは同一の符号を付加し詳細な説明は省略する。
【００９６】
図６において医療施設に設置された医用診断装置３００は、ＴＣＰ／ＩＰプロトコル等を用いた通信ネットワーク１３０を介し遠隔地のサービスセンターに設置された故障解析装置１２０と接続されている。
【００９７】
この医用診断装置３００は、被検体から画像データや計測データ等を医療データとして収集する医療データ収集部２と、これらの医療データを保存する医療データ記憶部３と、医療データ収集部２が収集した医療データあるいは医療データ記憶部３に一旦保存された医療データをモニタ等に表示する表示部４と、画像データや計測データの収集条件の設定、被検体情報や各種コマンド信号の入力等を行なう入力部１０を備え、更に、上述の医療データ収集部２、医療データ記憶部３、表示部４及び入力部１０と後述の電源部１２及びシステム制御部１１から供給されるこれらのユニットにおける動作状況や故障状況の情報に基づいてログデータを生成するログデータ生成部５と、生成されたログデータあるいは後述のデータ記憶部８に保存されたログデータを所定フォーマットに変換し、通信ネットワーク１３０を介してサービスセンターの故障解析装置１２０へ送信するログデータ送信部７と、これらの各ユニットを統括的に制御するシステム制御部１１と、上述の各ユニット及び後述のデータ記憶部８に対して所定の電圧／電流を供給する電源部１２を備えている。
【００９８】
又、医用診断装置３００は、ログデータ生成部５が生成したログデータや、このログデータを故障解析装置１２０に送信する際に用いられる通信ソフトウエア等が保存されているデータ記憶部８と、補助電源１４と、データ記憶部８に対する電源ラインの接続を制御する電源／信号ライン制御部１５と、ログデータの送信コマンド等を入力する入力部１６と、データ記憶部８に保存されたデータを読み出してログデータ送信部７へ供給する制御部１７を備えている。
【００９９】
補助電源１４は、電源部１２が故障した場合、サービスセンターに対するログデータの送信に必要なユニットに対し所定の電圧／電流を供給する機能を有しており、電源部１２が正常な動作をしている場合にはこの電源部１２によって常時充電されている。尚、この補助電源１４が発生する電圧／電流は、後述の第２の電源ラインを介してデータ記憶部８、入力部１６及び制御部１７へ供給される。
【０１００】
一方、電源／信号ライン制御部１５は、医用診断装置３００の電源部１２からデータ記憶部８のログデータ記憶部８１へ電圧／電流を供給する電源ライン（第１の電源ライン）と補助電源１４から前記データ記憶部８のログデータ記憶部８１及び通信ソフトウエア記憶部８２へ電圧／電流を供給する電源ライン（第２の電源ライン）との切り替えを行なう電源ライン切り替え機能を有している。
【０１０１】
更に、電源／信号ライン制御部１５は、医用診断装置３００のログデータ生成部５が生成したログデータをデータ記憶部８のログデータ記憶部８１へ供給する信号ライン（第１の信号ライン）と、データ記憶部８のログデータ記憶部８１及び通信ソフトウエア記憶部８２に保存されたログデータと通信用ソフトウエアをログデータ送信部７へ供給するための信号ライン（第２の信号ライン）との切り替えを行なう機能をも有している。
【０１０２】
そして、電源／信号ライン制御部１５における電源ライン及び信号ラインの切り替えは、電源部１２から供給される電圧／電流の値に基づいて行なわれる。例えば、電源／信号ライン制御部１５は図示しない電圧／電流検出部を備え、電源部１２から供給された電圧／電流の値が予め設定された正常範囲から外れた場合、電源部１２は故障状態にあると判断する。そして、電源／信号ライン制御部１５は第１の電源ライン及び第１の信号ラインを第２の電源ライン及び第２の信号ラインへ切り替える。
【０１０３】
即ち、電源部１２は、上述の医療データ収集部２、医療データ記憶部３、表示部４、入力部１０、システム制御部１１、ログデータ生成部５、ログデータ送信部７の各ユニットに対し電圧／電流を供給し、更に、ログデータ生成部５が生成したログデータをデータ記憶部８に保存する際には、データ記憶部８に電圧／電源を供給する。
【０１０４】
データ記憶部８は、ログデータ記憶部８１と通信ソフトウエア記憶部８２を備え、電源部１２が正常に機能している場合、データ記憶部８には、ログデータ生成部５から第１の信号ラインを介して供給されるログデータが順次保存される。このとき、ログデータの保存に必要な電圧／電流は第１の電源ラインを介して電源部１２から供給される。又、通信ソフトウエア記憶部８２には、通信ネットワーク１３０を介してサービスセンターの故障解析装置１２０へログデータを送信するために必要な通信用ソフトウエアが予め保管されている。
【０１０５】
一方、電源部１２に故障が発生した場合、電源／信号ライン制御部１５による電源ライン切り替えにより補助電源１４からログデータ記憶部８１及び通信ソフトウエア記憶部８２へ第２の電源ラインを介して所定の電圧／電流が供給され、更に、この電圧／電流は入力部１６、制御部１７及びログデータ送信部７の各々にも供給される。又、電源／信号ライン制御部１５による信号ライン切り替えによりログデータ記憶部８１に保存されたログデータと通信ソフトウエア記憶部８２に保管された通信用ソフトウエアは、上述の第２の信号ラインを介してログデータ送信部７へ供給される。
【０１０６】
入力部１６は、例えば、入力部１０と同様の入力デバイスを備え、電源部１２が故障した場合、操作者によってログデータの送信コマンドが入力される。そして、このコマンド信号を受信した制御部１７は、電源／信号ライン制御部１５を制御してデータ記憶部８におけるログデータ記憶部８１のログデータと通信ソフトウエア記憶部８２の通信用ソフトウエアを読み出しログデータ送信部７へ供給する。
【０１０７】
（ログデータの送信手順）
次に、本実施例におけるログデータのサービスステーションへの送信手順を図７のフローチャートに沿って説明する。尚、図７において、図３に示したログデータ送信手順のステップと同一のステップは同一の符号を付加し詳細な説明は省略する。
【０１０８】
医療データの収集に先立って医用診断装置１００の操作者は、各種の初期設定を入力部１０にて行なった後（図７のステップＳ１）、医療データの収集開始コマンドを入力し、システム制御部１１は、このコマンド信号に従って各ユニットを制御し医療データを収集する（図７のステップＳ２）。
【０１０９】
更に、システム制御部１１は、これらのユニットから収集した動作状況や装置の情報をログデータ生成部５へ供給し、ログデータ生成部５はこれらの情報に基づいてログデータを生成する。そして、生成されたログデータは、第１の電源ラインを介してデータ記憶部８のログデータ記憶部８１に保存され、更に、ログデータ送信部７へ供給される（図７のステップＳ３）。
【０１１０】
上述の医療データの収集及びログデータの生成の過程で、例えば、電源部１２以外のユニットにおいて故障が発生した場合、ログデータ送信部７のＣＰＵは、自己の記憶回路に予め保管されている通信用ソフトウエアを用いてログデータ生成部５から供給されたログデータを所定フォーマットに変換し、通信ネットワーク１３０を介してサービスセンターの故障解析装置１２０へ送信する（図７のステップＳ４）。
【０１１１】
一方、故障解析装置１２０は、ログデータ送信部７から供給された医用診断装置１００のログデータを用いて故障解析を行ない（図７のステップＳ７）、故障が認められた場合には、その旨を医療施設の操作者に連絡すると共に修理に必要な交換部品等を携えて医療施設に出向き修理を行なう（図７のステップＳ８）。
【０１１２】
一方、上述のステップＳ２及びステップＳ３における医療データの収集及びログデータの生成の過程で、電源部１２において故障が発生した場合、第１の電源ラインを介して電源部１２から供給される電圧／電流の値に異常が発生していることを検出した電源／信号ライン制御部１５は、電源部１２に接続された第１の電源ラインを補助電源１４に接続された第２の電源ラインに、又、第１の信号ラインを第２の信号ラインに切り替える（図７のステップＳ５ｂ）。
【０１１３】
電源／信号ライン制御部１５による電源ライン及び信号ラインの切り替えにより、データ記憶部８の電源端子には補助電源１４から所定の電圧／電流が供給され、又、データ記憶部８の信号入出力端子は第２の信号ラインを介してログデータ送信部７へ接続される。
【０１１４】
電源部１２の故障を知った操作者は、入力部１６において故障情報を含むログデータをサービスセンターへ送信するためのコマンド信号を入力し、このコマンド信号を受信した制御部１７は、電源／信号ライン制御部１５を制御してデータ記憶部８におけるログデータ記憶部８１のログデータと通信ソフトウエア記憶部８２の通信用ソフトウエアを読み出しログデータ送信部７へ供給する。
【０１１５】
一方、ログデータ送信部７は、データ記憶部８から供給されたログデータを、前記通信用ソフトウエアを用いて所定フォーマットに変換する。そして、通信ネットワーク１３０を介してサービスセンターの故障解析装置１２０へ送信し、故障解析装置１２０のログデータ記憶部１２１に一旦保存する（図７のステップＳ６ｂ）。
【０１１６】
次に、故障解析装置１２０の故障解析部１２２は、ログデータ記憶部１２１から読み出したログデータを用いて医用診断装置１００の故障解析を行ない（図７のステップＳ７）、その解析結果を表示部１２３に表示する。
【０１１７】
そして、サービスセンターのメンテナンス担当者は、表示部１２３に表示された故障解析結果を医療施設の操作者に報告すると共に修理に必要な交換部品等を携えて医療施設に出向き修理を行なう（図７のステップＳ８）。
【０１１８】
以上述べた本発明の第３の実施例によれば、電源部が故障した状態においても医用診断装置の動作状況や故障状況に関する詳細な情報（故障情報）を前記医用診断装置のメンテナンスを担当するサービスセンターに対して供給することができる。このため、精度の高い故障解析が可能となり、この解析結果に基づく効率のよい修復作業により装置のダウンタイムを短縮することができる。特に、故障情報が含まれた各ユニットのログデータに基づいて故障解析を行なうことができるため、精度の高い故障解析が可能となる。
【０１１９】
又、本実施例によれば、ログデータが含まれたデータ記憶部及びログデータの送信に必要なユニットの電源ラインは電源部の故障情報に基づいて医用診断装置の電源ラインから補助電源の電源ラインへ自動的に切り替わり、この補助電源から供給される電圧／電流によってサービスセンターに対するログデータの送信が行なわれるため、ログデータの送信を短時間で行なうことができ、サービスセンターのメンテナンス担当者は、略リアルタイムで行なわれる故障解析の結果を常時観測することができる。又、電源部の故障におけるログデータの送信は正常時と同様にして自動的に行なわれるため医用診断装置の故障における操作者の負担は大幅に軽減される。更に、第１の実施例や第２の実施例において述べたようなログデータ送信装置を医用診断装置の外部に設ける必要が無くなる。
【０１２０】
尚、上述の第３の実施例では、電源部１２が故障した場合においてもログデータ送信部７を用いてログデータを通信ネットワーク１３０に送信する場合について述べたが、図示しない専用ログデータ送信部を用いてログデータを送信してもよい。
【０１２１】
又、データ記憶部８は、通信用ソフトウエアが予め保管された通信ソフトウエア記憶部８２を備えている場合について述べたが、これに限定されるものではなく、ログデータ送信部７あるいは上述の専用ログデータ送信部に設けられた記憶回路に通信用ソフトウエアが予め保管されていてもよい。
【０１２２】
更に、この実施例では、電源部１２の故障時にログデータの送信コマンドを入力するための入力部１６と制御部１７を備えた場合について示したが、入力部１０及びシステム制御部１１を用いて上述の入力コマンドを入力してもよい。但し、この場合、補助電源１４による電圧／電流が第２の電源ラインを介して入力部１０及びシステム制御部１１に供給される。
【０１２３】
又、上述の補助電源は、充電式の電源について述べたが、これに限定されるものではなく、例えば通常のバッテリー、太陽電池あるいはＡＣ／ＤＣアダプタ等であってもよい。更に、この補助電源は着脱自在とし、例えば、電源部１２が正常動作を行なっている場合は医用診断装置３００から取り外しても構わない。
【０１２４】
以上、本発明の実施例について述べてきたが、本発明は上述の実施例に限定されるものでは無く、変形して実施することが可能である。例えば、故障解析装置１２０と医用診断装置１００乃至３００は同一の医療施設において設置されていてもよく、又、通信ネットワーク１３０は、電話回線や有線あるいは無線のＬＡＮ（Local Area Network）等であってもよい。
【図面の簡単な説明】
【０１２５】
【図１】本発明の第１の実施例における医用診断装置の全体構成を示すブロック図。
【図２】同実施例の医用診断装置を構成する医療データ収集部のブロック図。
【図３】同実施例におけるログデータの送信手順を示すフローチャート。
【図４】本発明の第２の実施例における医用診断装置の全体構成を示すブロック図。
【図５】同実施例におけるログデータの送信手順を示すフローチャート。
【図６】本発明の第３の実施例における医用診断装置の全体構成を示すブロック図。
【図７】同実施例におけるログデータの送信手順を示すフローチャート。
【図８】サービスセンターに対しログデータの送信を可能とする従来の医用診断装置の全体構成を示すブロック図。
【符号の説明】
【０１２６】
２…医療データ収集部
３…医療データ記憶部
４…表示部
５…ログデータ生成部
７…ログデータ送信部
８…データ記憶部
８１…ログデータ記憶部
８２…通信ソフトウエア記憶部
９…ＵＳＢ／ＩＦ
１０…入力部
１１…システム制御部
１２…電源部
１３、１５…電源／信号ライン制御部
１４…補助電源
１６…入力部
１７…制御部
１００、２００、３００…医用診断装置
１１０、１４０…ログデータ送信装置
１１２、１４１…ＵＳＢ／ＩＦ
１１３、１４２…コンピュータ
１２０…故障解析装置
１２１…ログデータ記憶部
１２２…故障解析部
１２３…表示部
１３０…通信ネットワーク
【図１】
2008000173.tif 000003
【図２】
2008000173.tif 000004
【図３】
2008000173.tif 000005
【図４】
2008000173.tif 000006
【図５】
2008000173.tif 000007
【図６】
2008000173.tif 000008
【図７】
2008000173.tif 000009
【図８】
2008000173.tif 000010